(57)【要約】      （修正有）【課題】地震災害、土砂災害などによる被災エリアの電波基地局倒壊・電話回線の輻輳や建物、土砂の崩壊により通信不通・電波遮断等の通信障害が生じ、被災者と相手先との双方向間で安否情報を確認できない状況を解決する携帯端末装置及びシステムを提案する。【解決手段】携帯端末装置は、通常モードで使用する周波電波帯域とは別に災害用として前述の周波数よりも低い周波数に切替え機能と、かつ簡易な安否メッセージを符号変換し被災エリアの破壊影響のない場所かつ電波遮断を回避できる低周波用基地局との間で当該符号を送信又は受信信号できる機能を有し、当該基地局内に設置した交換機は簡易な符号を災害時に回線積滞することなく、当該送受信パケットを被災者と相手先間で安否メッセージを送着信できることを目的としたシステムである。【選択図】図１
2005136928.tif 000002
【特許請求の範囲】
【請求項１】
携帯端末装置は、通常モードで使用する音声・データ・画像通信サービスの８００Ｍｈｚ又は２．４Ｇｈｚ帯の周波数帯城とは別の災害時用としての上記周波数より低い周波数であり、建物や土砂崩壊等による電波遮蔽・干渉が生じないよう伝送速度上り・下りそれぞれの周波数帯域を割り当てられ、通常使用時と災害時の周波数の切替えスイッチ機能を有する携帯端末装置。
【請求項２】
送信時に相手先電話番号の短縮ダイヤルと被災情報である被災状況の状態、居場所、身体状態などの簡易な安否メッセージを画面表示又は音声確認などにより設定・登録ができ順次これら情報を符号に変換し送信ボタンにより低周波基地局に対し複数の相手先電話番号とメッセージ符号の送信機能を有した携帯端末装置。
【請求項３】
着信時に携帯端末装置には通常モードとは区別された着信音又はバイブレータ又は色別着信光により災害用受信表示され、着信符号化を予め符号と対応したメッセージに変換し表示画面部への文字表示又は音声等によりメッセージ解読できる機能を有した携帯端末装置。
【請求項４】
数１０〜百数１０ｋｍ以上離れた場所に設置した災害用基地局は災害時専用としての長距離伝搬できる「請求項１」の周波数及び「請求項２」・「請求項３」の符号化した送信・着信のパケット信号を受信でき、当該基地局内の回線交換機により災害時における交換機の一次的に通信過多による通信不通回避することができるように前述の最少信号で回線交換し、当該基地局から通信衛星又は最寄り基地局への送受信可能とする遠隔基地局。
【発明の詳細な説明】
【技術分野】
【０００１】本発明は災害時におけるリアルタイムに被災者と相手先間で確実に安否確認できる携帯用送受信装置。
【背景技術】
【０００２】従来、地震災害や土砂災害が発生した場合、通信事業者は被災エリアに特設移動アンテナを設置し、被災者救済の通信回線を設立するが道路インフラが確立された時点で通信可能になることや基地局が倒壊しない場合でも通信回線輻輳のため数時間に渡り通話途絶するなどのタイムラグが発生し、その間被災状況確認ができず不安な状況が続くことになる。【０００３】被災エリア情報を自治体に設置するサーバに情報集約し、非難エリアに設置した電子伝言板により情報提供する方法があるが、個人レベルでなく避難地域住民単位への情報提供のため被災者個人への配慮に欠けているものであった。特許文献【０００４】
【特許文献１】特開２０００３−２７４４５０  公開  特開２０００２−３１４６３４  公開  特開２０００１−１６８９９０  公開  特開    平０８−２８９３６９  公開
【発明の開示】
【発明が解決しようとする課題】
【０００５】従来技術は、災害時に被災エリアの建物崩壊や土砂崩壊した場合やエレベータに閉じ込められた際の電波遮蔽の際の障害により送受信できない状況や身体障害者や一人暮らし老人などに対して災害があった場合など被災者の生命の安全に関わる状態を相手先にリアルタイムにメッセージを送信したい場合或いは相手先から被災者に対して安否確認したい場合など個人単位の情報伝達手段の救済解決に至っていなかった。これらの課題を解決するため、携帯端末装置への通常使用する機能に別の周波数帯域や簡易なメッセージの符号化変換の付加機能の装備及びこれに対応する基地局の設置により問題解決を図るものである。
【課題を解決するための手段】
【０００６】通常使用する電話・データ・画像サービスの携帯端末装置は、土砂埋め・建物崩壊や停電等によるエレベータに閉じ込められた際、外部に救済を求めようとしても高周波数による指向性が高く電波反射が発生してしまい通信の用をなさない。このため、災害用として通常使用の周波数とは別の障害物に対し電波回析又は電波干渉を受けない数百Ｍｈｚ周波数帯域に切り替えスイッチ機能を上記携帯端末装置に付加装備することで解決する。【０００７】災害時に交換機の回線輻輳軽減するため、携帯端末装置は短縮化した送信先電話番号と簡易な被災状況メッセージの最小限情報をパケット信号に変換し送信し又はパケット受信時に符号をメッセージ変換する送信者・受信者双方向で情報交換できる機能を有する。【０００８】
【０００６】の携帯端末装置の周波数に対向する遠隔地に設置した受信基地局により、被災エリアの基地局が倒壊された場合でも災害の影響のなく電波伝搬距離が長い周波帯域による受信不可を回避することができる。
【発明の効果】
【０００９】本発明は、従来の災害時の通信不能状態を解決しようとするものであり、災害時の回線の確保やリアルタイムに被災者・相手先双方向の「災害状況」や「双方向の安否確認」メッセージをいつでも、どこでも、だれとでも情報交換が可能になり、また、健常者のみならず身体障害者や老人に配慮した緊急時の通信方法を確立するものである。
【発明を実施するための最良の形態】
【００１０】以下、本発明の実施の形態を図１〜図６に基づいて説明する。【００１１】図１はシステム構成を示す。地震災害時に携帯端末装置１と非被災エリアの端末装置８間で送受信の際、通常使用する基地局３の破壊や回線輻輳による基地局の用をなさないことや、ビル建物の倒壊や土砂災害によるガレキに埋もれてしまい、通常の使用する８００Ｍｈｚ又は２．４Ｇｈｚ周波数帯の周波数は電波遮蔽や指向性のため電波が遮断されてしまう。このため、被災エリアから離れた場所に設置した低周波受信基地２及び災害用受信アンテナ４、交換機５を設置により、送信者・受信者からの簡易なメッセージ信号を回線輻輳による通信不能にすることなく通信衛星６又は最寄りの基地局７にアクセスすることができる。【００１２】図２は携帯端末装置１の切替え方法を示す。通常使用する高周波数９とは別に図３に示す災害用ボタン１３により低周波数１０に切り替えが可能である。遠隔地に設置した通常使用する帯域より低い数百Ｍｈｚ周波数により、これと対向する基地局２に伝搬信号をアンテナ１１から送信される。【００１３】エレベータや地下鉄等で停電により閉じ込められた場合、電波遮蔽される空間では例えばエレベータ中間階に長期バッテリをもった受信アンテナを介在し当該携帯端末装置１からの信号を当該基地局２に送信することも可能になる。【００１４】図３は携帯端末装置１の詳細を示す。先ず被災エリアから送信する場合について述べる。携帯端末装置１は通常使用する８００Ｍｈｚ及び２．４Ｇｈｚ周波数帯域９と本サービスで使用する数百Ｍｈｚの低周波数帯域１０に通常使用ボタンｌ２を災害用ボタンｌ３に切替える。送信者は非被災エリア端末装置８に対し、予め登録した電話番号の短縮ダイヤルと図４に示すメッセージ内容を画面表示部１７に文字又は音声表示部１８により確認することができる。これらのメッセージは符号に変換し送信ボタンｌ８により、遠隔基地局２に向けて複数の電話番号を同時にパケット送信する機能を有する。【００１５】上記身体障害者や老人など目や耳の不自由な方のための端末装置１機能を特記すると、携帯端末装置１は災害用ボタン１３及び図４に示すメッセージ内容を点字付きテンキーｌ４、設定確定ボタン１６機能により、表示画面部１７又は音声表示部１８で確認でき、送信ボタン１９により予め登録した複数の電話番号の相手先端末装置８に送信することができる。【００１６】被災者携帯端末装置１が信号受信する場合について述べる。アンテナ１１は高周波Ｌａｍｐ表示と色別された災害用ｌａｍｐ表示及び着信音表示により受信確認ができる。受信者は図５に示す通常ボタンｌ２を災害用ボタン１３に切替える。予め相手先を選定登録した携帯端末装置８の電話番号と符号を相手先名とメッセージ内容に変換し、設定確定ボタン１６により順次メッセージ内容を画面表示部１７又は音声表示部１８により解読できる。また、相手が返信要求した場合【００１４】項に自動変換される機能を有する。【００１７】上記身体障害者や老人など目や耳の不自由な方のための当該端末装置の機能を特記すると、携帯送受信器１が外部からの受信信号をあった場合、着信音又はバイブレータにより受信信号を知らせます。【００１６】同様メッセージ内容を点字付きテンキー１４、設定確定ボタン１６機能により、順次メッセージ内容を確認することができる。【００１８】図４は送信時の操作手順について述べる。送信時は通常ボタン１２を災害用ボタンｌ３の災害モードに切り替える。次に予め災害時に送信したい複数の相手先電話番号を順番に確定させる。次に点字付きテンキー１４により、画面表示部１７に表示されるメッセージ内容「状態」・「居場所」・「身体状態亅の順に従い設定・登録する。間違った番号設定時は「戻る」機能で変更することができる。また、音声表示部１８は音声機能を有することにより相手先番号、メッセージ内容を確認することができる。最終確認が完了した時点で送信ボタン１８により遠隔基地２に送信ができる。【００１９】図５は受信時の操作手順について述べる。受信信号の信号があった場合、通常ボタン１２を災害用ボタン１３に切り替える。相手先番号が表示画面１７又は音声表示１８される。次に確定ボタンにより相手先からのメッセージ内容「状態」・「返事」情報が確認できる。「返事」確認の際「１」の（至急返事を送れ）を選択すると【００１８】送信操作手順に自動設定することができる。【００２０】図６は伝送シーケンスについて示す。被災者携帯端末装置１の信号を遠隔基地局２に送信する場合、当該基地局２のアンテナ４で受信し、当該アンテナ４に接続された交換機５は複数の電話からの簡易な符号化データのみを受信し回線輻輳をキャンセルすることなく衛星６へのアクセス又は遠隔にある基地局７にアクセスし通信範囲を広く送受信することができる。また、非被災エリア端末装置から信号受信する場合も簡易な符号化信号を衛星６又は遠隔にある基地局７から遠隔基地局２の交換機を輻輳することなく被災エリアの携帯端末装置１に送信することができる。【００２１】
【００１８】項及び【００１９】項に示したメッセージ符号は電話番号と簡易なメッセージ符号の数１０ビット／秒のパケット量であり、その伝送速度は上り・下り低周波数帯で送信する。送信時は携帯端末装置１の送信メッセージである活字又は音声を符号化したパケット信号を遠隔基地２に対し送信され、受信時は遠隔基地２からのパケット信号を活字又は音声に変換し携帯端末装置１で確認することができる。
【図面の簡単な説明】
【００２２】
【図１】システム構成
【図２】携帯端末装置の周波数の切り替え
【図３】携帯端末装置の詳細
【図４】送信時の操作手順
【図５】受信時の操作手順
【図６】伝送シーケンス
【符号の説明】
【００２３】ｌ：被災エリアの携帯端末装置２：遠隔基地局３：被災エリアの基地局４：送受信アンテナ５：交換機６：通信衛星７：非被災エリアの基地局８：非被災エリアの端末装置９：高周波伝搬１０：低周波伝搬１１：送受信アンテナｌ２：通常ボタン１３：災害用ボタン１４：点字付きテンキー１５：送信ボタン１６：設定確定ボタン１７：画面表示部１８：音声表示部１９：送信ボタン
【図１】
2005136928.tif 000003
【図２】
2005136928.tif 000004
【図３】
2005136928.tif 000005
【図４】
2005136928.tif 000006
【図５】
2005136928.tif 000007
【図６】
2005136928.tif 000008